(57)【要約】【課題】  電池寿命に対する影響を可及的に少なくしつつ適切な明るさで被写体を撮像する。【解決手段】  設定されるシャッタースピードが１／６０よりスローである場合には、ＩＳＯ感度を上げて（ステップＳ６）、ストロボを発光させることなく被写体の明るさに対応する。ＩＳＯ感度を最大値としても、シャッタースピードが１／６０よりスローである場合には、ストロボ発光することを確定するとともに、感度を確定する（ステップＳ７）。そして、以上の処理でストロボ発光が撮影条件とされた場合には、ステップＳ１１〜Ｓ１４の処理で感度を下げ、ステップＳ１３の判断がＮＯとなった時点、つまり、ストロボの到達距離Ｄ−ａｅが被写体距離Ｄ−ａｆに対し過剰でなくなった時点、換言すればＩＳＯ−ｃａｐｔが過剰でなくなった時点で、このシャッター半押し時のフローに従った処理を終了し、感度を確定する。【選択図】      図３
2005204120.tif 000002
【特許請求の範囲】
【請求項１】
被写体の明るさに応じて、発光手段を動作させるとともに設定した感度に応じた増幅率で撮像信号を増幅するカメラ装置であって、
所定の感度までの感度で被写体の明るさに対応できるか否かを判断する判断手段と、
この判断手段により前記所定の感度までの感度で対応できると判断された場合、前記発光手段を発光動作させることなく被写体の明るさに応じた感度を設定する第１の感度・発光制御手段と、
前記判断手段により前記所定の感度までの感度でも対応できないと判断された場合、前記所定の感度よりも低い感度を設定するとともに、前記発光手段を発光動作させる第２の感度・発光制御手段と
を備えることを特徴とするカメラ装置。
【請求項２】
被写体までの距離を取得する距離取得手段を備え、
前記第２の感度・発光制御手段は、前記距離取得手段により取得された被写体までの距離と前記発光手段の最大発光量とに基づき、前記感度を設定することを特徴とする請求項１記載のカメラ装置。
【請求項３】
前記第２の感度・発光制御手段は、前記発光手段をプリ発光動作させ、このプリ発光動作時に撮像され前記所定の感度よりも低い感度に応じた増幅率で増幅された撮像信号の明るさに基づき前記発光手段の発光量を決定し、該決定した発光量で前記発光手段を発光動作させることを特徴とする請求項１記載のカメラ装置。
【請求項４】
被写体までの距離を取得する距離取得手段を備え、
前記第２の感度・発光制御手段は、前記距離取得手段により取得された被写体までの距離と前記所定の感度よりも低い感度とに基づき前記発光手段の発光量を決定し、該決定した発光量で前記発光手段を発光動作させることを特徴とする請求項１記載のカメラ装置。
【請求項５】
前記第２の感度・発光制御手段は、前記発光手段をプリ発光動作させて得られた被写体の明るさに基づき前記感度を設定することを特徴とする請求項１記載のカメラ装置。
【請求項６】
前記第２の感度・発光制御手段が前記発光手段を発光動作させても、その光が被写体まで到達できないと判断された場合に、その旨を警告する警告手段をさらに備えることを特徴とする請求項１記載のカメラ装置。
【請求項７】
前記第２の感度・発光制御手段は、前記所定の感度を設定するとともに、前記発光手段を発光動作させる手段を含むことを特徴とする請求項１記載のカメラ装置。
【請求項８】
被写体の明るさに応じて、発光手段を動作させるとともに設定した感度に応じた増幅率で撮像信号を増幅するカメラ装置が有するコンピュータを、
所定の感度までの感度で被写体の明るさに対応できるか否かを判断する判断手段と、
この判断手段により前記所定の感度までの感度で対応できると判断された場合、前記発光手段を発光動作させることなく被写体の明るさに応じた感度を設定する第１の感度・発光制御手段と、
前記判断手段により前記所定の感度までの感度でも対応できないと判断された場合、前記所定の感度よりも低い感度を設定するとともに、前記発光手段を発光動作させる第２の感度・発光制御手段と
して機能させることを特徴とする撮影感度設定プログラム。
【請求項９】
被写体の明るさに応じて、発光手段を動作させるとともに設定した感度に応じた増幅率で撮像信号を増幅するカメラ装置における感度設定方法であって、
所定の感度までの感度で被写体の明るさに対応できるか否かを判断し、
前記所定の感度までの感度で対応できると判断した場合、前記発光手段を発光動作させることなく被写体の明るさに応じた感度を設定し、
前記所定の感度までの感度でも対応できないと判断した場合、前記所定の感度よりも低い感度を設定するとともに、前記発光手段を発光動作させる
ことを特徴とする撮影感度設定方法。
【発明の詳細な説明】
【技術分野】
【０００１】
本発明は、デジタルカメラ等のカメラ装置、撮影感度設定プログラム及び撮影感度設定方法に関する。
【背景技術】
【０００２】
従来、ストロボ撮影処理機能を備えたデジタルカメラが公知である（特許文献１）。このデジタルカメラは、シャッターキーが半押しされると、被写体までの撮影距離を算出し、この算出された撮影距離に基づき、ＡＧＣアンプの増幅率及びストロボ装置の調光値を算出して設定する。そして、シャッターキーが全押しされると、前記調光値に応じた時間だけストロボ発光させるとともに、ＣＣＤから取り込んだ画像信号をＡＧＣアンプにて前記増幅率で増幅し、得られた画像データを記録するものである。
【特許文献１】特開２０００−１３４５３３号公報（図９）
【発明の開示】
【発明が解決しようとする課題】
【０００３】
しかしながら、前述した従来のデジタルカメラにあっては、撮影距離に基づき必須的にＡＧＣアンプの増幅率とストロボ装置の調光値とを算出し、この算出した増幅率と調光値とでＡＧＣアンプとストロボ装置とを必須的に動作させるように制御している。このため撮影時には、必須的にストロボ装置が発光動作することとなり、ストロボ装置に電源を供給する電池の寿命が短くなってしまう。
【０００４】
本発明は、かかる従来の課題に鑑みてなされたものであり、電池寿命に対する影響を可及的に少なくしつつ適切な明るさで被写体を撮像することのできるカメラ装置、撮影感度設定プログラム及び撮影感度設定方法を提供することを目的とする。
【課題を解決するための手段】
【０００５】
前記課題を解決するため請求項１記載の発明に係るカメラ装置にあっては、被写体の明るさに応じて、発光手段を動作させるとともに設定した感度に応じた増幅率で撮像信号を増幅するカメラ装置であって、所定の感度までの感度で被写体の明るさに対応できるか否かを判断する判断手段と、この判断手段により前記所定の感度までの感度で対応できると判断された場合、前記発光手段を発光動作させることなく被写体の明るさに応じた感度を設定する第１の感度・発光制御手段と、前記判断手段により前記所定の感度までの感度でも対応できないと判断された場合、前記所定の感度よりも低い感度を設定するとともに、前記発光手段を発光動作させる第２の感度・発光制御手段とを備える。
【０００６】
したがって、当該カメラ装置において所定の感度までの感度で、被写体の明るさに対応できる場合には、発光手段を発光動作させないことから、発光手段の発光機会が減少し、これに伴って電池寿命への影響を少なくすることができる。その一方で、被写体の明るさに対しては、感度で適正に対応することから撮像される被写体の明るさに悪影響を及ぼすこともない。よって、電池寿命に対する影響を可及的に少なくしつつ適切な明るさで被写体を撮像することが可能となる。
【０００７】
また、当該カメラ装置において所定の感度までの感度では対応できない場合には、前記所定の感度よりも低い感度を設定して発光手段を発光動作させる。ここで、前記撮像信号は設定した感度に応じた増幅率で増幅されることから、感度の値が大きくなればこれに伴って増幅率が増大して、撮像信号に含まれるノイズも増大し、撮像される画像の画質は低下する。しかるに本発明においては、発光手段を発光動作させる場合には、前記所定の感度よりも低い感度を設定することにより、感度を低下させることから、これに伴って撮像信号の増幅率が低下して、撮像信号に含まれるノイズも低下し、撮像される画像の画質は向上する。
【０００８】
また、請求項２記載の発明に係るカメラ装置にあっては、被写体までの距離を取得する距離取得手段を備え、前記第２の感度・発光制御手段は、前記距離取得手段により取得された被写体までの距離と前記発光手段の最大発光量とに基づき、前記感度を設定する。
【０００９】
また、請求項３記載の発明に係るカメラ装置にあっては、前記第２の感度・発光制御手段は、前記発光手段をプリ発光動作させ、このプリ発光動作時に撮像され前記所定の感度よりも低い感度に応じた増幅率で増幅された撮像信号の明るさに基づき前記発光手段の発光量を決定し、該決定した発光量で前記発光手段を発光動作させる。
【００１０】
また、請求項４記載の発明に係るカメラ装置にあっては、被写体までの距離を取得する距離取得手段を備え、前記第２の感度・発光制御手段は、前記距離取得手段により取得された被写体までの距離と前記所定の感度よりも低い感度とに基づき前記発光手段の発光量を決定し、該決定した発光量で前記発光手段を発光動作させる。
【００１１】
また、請求項５記載の発明に係るカメラ装置にあっては、前記第２の感度・発光制御手段は、前記発光手段をプリ発光動作させて得られた被写体の明るさに基づき前記感度を設定する。
【００１２】
また、請求項６記載の発明に係るカメラ装置にあっては、前記第２の感度・発光制御手段が前記発光手段を発光動作させても、その光が被写体まで到達できないと判断された場合に、その旨を警告する警告手段をさらに備える。したがって、ユーザーがこのことを知らずに撮影操作を行って、被写体が充分な明るさを有しない不明瞭な画像が撮影されてしまう不都合が未然に防止される。
【００１３】
また、請求項７記載の発明に係るカメラ装置にあっては、前記第２の感度・発光制御手段は、前記所定の感度を設定するとともに、前記発光手段を発光動作させる手段を含む。
【００１４】
また、請求項８記載の発明に係る撮影感度設定プログラムにあっては、被写体の明るさに応じて、発光手段を動作させるとともに設定した感度に応じた増幅率で撮像信号を増幅するカメラ装置が有するコンピュータを、所定の感度までの感度で被写体の明るさに対応できるか否かを判断する判断手段と、この判断手段により前記所定の感度までの感度で対応できると判断された場合、前記発光手段を発光動作させることなく被写体の明るさに応じた感度を設定する第１の感度・発光制御手段と、前記判断手段により前記所定の感度までの感度でも対応できないと判断された場合、前記所定の感度よりも低い感度を設定するとともに、前記発光手段を発光動作させる第２の感度・発光制御手段として機能させる。したがって、前記コンピュータがこのプログラムに従って処理を実行することにより、請求項１記載の発明と同様の作用効果を奏する。
【００１５】
また、請求項９記載の発明に係る撮影感度設定方法にあっては、被写体の明るさに応じて、発光手段を動作させるとともに設定した感度に応じた増幅率で撮像信号を増幅するカメラ装置における感度設定方法であって、所定の感度までの感度で被写体の明るさに対応できるか否かを判断し、前記所定の感度までの感度で対応できると判断した場合、前記発光手段を発光動作させることなく被写体の明るさに応じた感度を設定し、前記所定の感度までの感度でも対応できないと判断した場合、前記所定の感度よりも低い感度を設定するとともに、前記発光手段を発光動作させる。したがって、記載した工程に従って処理を実行することにより、請求項１記載の発明と同様の作用効果を奏する。
【発明の効果】
【００１６】
本発明は、当該カメラ装置において設定可能な最大感度までの感度で、被写体の明るさに対応できる場合には、発光手段を発光動作させないようにしたことから、発光手段の発光機会が減少し、これに伴って電池寿命への影響を少なくすることができる。その一方で、被写体の明るさに対しては、感度で適正に対応することから撮像される被写体の明るさに悪影響を及ぼすこともない。よって、電池寿命に対する影響を可及的に少なくしつつ適切な明るさで被写体を撮像することが可能となる。
【００１７】
また、当該カメラ装置において所定の感度までの感度では対応できない場合には、前記所定の感度よりも低い感度を設定して発光手段を発光動作させるようにしたことから、感度に伴って撮像信号の増幅率を低下させて、撮像信号に含まれるノイズも低下させ、撮像される画像の画質を向上させることができる。よって、発光手段の発光動作を伴う撮影時（ストロボ撮影時）における画質の向上を図ることができる。
【発明を実施するための最良の形態】
【００１８】
以下、本発明の好ましい実施の形態について説明する。図１は、本発明の一実施の形態に係るデジタルカメラ１の電気的構成の概略を示すブロック構成図である。デジタルカメラ１は、撮像手段であるＣＣＤ２を備えるとともに、ＣＣＤ２により撮像した画像を圧縮・伸張し、所定フォーマット、例えば統一規格ＤＣＦ（Design rule for Camera File system）やＪＰＥＧ（Joint Photographic Expert Group）に合致するフォーマットの画像ファイルを生成・再生する画像処理機能を備えたＭＰＵ３を中心に構成されている。ＣＣＤ２の受光面には、撮像レンズ４、フォーカスレンズ５、絞り６を通過して被写体の光学像が結像される。フォーカスレンズ５はＡＦモータ等からなる駆動機構７に保持されており、ＭＰＵ３からの制御信号によりＡＦドライバー８が出力する駆動信号が駆動機構７に供給されることにより光軸上を前後に移動する合焦動作を行う。絞り６は、ＭＰＵ３からの制御信号に基づき絞り駆動部９が発生する駆動信号により駆動しＣＣＤ２に入射する被写体像の光量を調整する。
【００１９】
また、ＭＰＵ３には、タイミング信号を発生するＴＧ（Timing Generator）１０が接続されており、ＴＧ１０が発生したタイミング信号に基づきＶドライバー１１（垂直方向ドライバー）がＣＣＤ２を駆動し、それに伴いＣＣＤ２により被写体像の輝度に応じたアナログの撮像信号が出力されユニット回路１２へ送られる。ユニット回路１２は、ＣＣＤ２から出力された撮像信号を保持するＣＤＳと、ＣＤＳから撮像信号を供給されるアナログアンプであるゲイン調整アンプ（ＡＧＣ）と、ゲイン調整アンプで増幅され調整されたアナログの撮像信号をデジタル信号に変換するＡ／Ｄ変換器（ＡＤ）とからなり、ＣＣＤ２の出力信号は、ここで黒レベルを合わせてサンプリングされデジタル信号としてＭＰＵ３に送られる。ゲイン調整アンプ（ＡＧＣ）は、後述するＩＳＯ感度に応じた増幅率で、ＣＤＳから供給される撮像信号を増幅する。
【００２０】
ＭＰＵ３には、シャッターキーを含む各種のキー群をからなる操作キー部１３、ＴＦＴ液晶モニタ１４、ストロボ１５、ＤＲＡＭ１６、ＭＲＯＭ１７、フラッシュメモリ１８が接続されている。ストロボ１５は、ＭＰＵ３によりその発光量を制御される。
【００２１】
ＤＲＡＭ１６は作業用のメモリ、フラッシュメモリ１８は画像記録用のメモリであり、ＣＣＤ２からＭＰＵ３に送られたデジタル信号（撮像信号）はＤＲＡＭ１６に一時保存されるとともに、ＭＰＵ３によって各種の画像処理が施された後、最終的には圧縮された画像データとしてフラッシュメモリ１８に記録される。なお、フラッシュメモリ１８はカメラ本体に着脱自在なカード型のものであってもよい。
【００２２】
フラッシュメモリ１８に記録された画像データは、必要に応じてＭＰＵ３に読み出され、伸長処理、輝度信号及び色信号の付加等の処理を経てデジタルビデオ信号やアナログビデオ信号に変換され、ＴＦＴ液晶モニタ１４によって表示される。またＴＦＴ液晶モニタ１４には、記録モードにおいて周期的に撮像された画像がスルー画像として表示される。
【００２３】
ＭＲＯＭ１７は、ＭＰＵ３における各部の制御及びデータ処理に必要な各種の動作プログラムが記録されたプログラムＲＯＭである。すなわち、ＭＲＯＭ１７には、前記プログラムとともに、図２に示す撮影時の適正な露出値（ＥＶ）（絞り値Ｆ２．８の場合）に対応するＩＳＯ感度とシャッタースピードとの組み合わせを示すプログラム線図１７１等の各種データが格納されている。このプログラム線図１７１において、「■」はストロボ１５を自動的に発光させるストロボオート発光ポイントを示す。
【００２４】
ＭＰＵ３は、前記プログラム線図に従い、シャッタースピードである前記ＣＣＤ２の電荷蓄積時間や、前記絞り６の開放度、前記ユニット回路１２のゲイン調整アンプ（ＡＧＣ）のゲインの制御によるＡＥ制御を行うとともに、所定のプログラムに従い前記フォーカスレンズ５を駆動するＡＦ（オートフォーカス）制御、ＡＷＢ（オートホワイトバランス）制御を行う。また、シャッターキーが操作された時（撮影時）には、必要に応じてストロボ１５による撮影補助光の発光、及びその発光量を制御する。フラッシュメモリ１８は、撮影された画像データが記録される。
なお、各部への必要な電源は、図示しない電池より供給される。
【００２５】
次に、以上の構成からなるデジタルカメラ１の撮影時における前記シャッターキーが半押し操作された場合の動作を図３のフローチャートに従って説明する。すなわち、シャッターキーが半押し操作されると、ＭＰＵ３は前記プログラムに基づき動作を開始し、前記スルー画像に基づき、被写体の明るさを計測する（ステップＳ１）。次に、被写体までの距離である被写体距離Ｄ−ａｆ（ｍ）を取得する（ステップＳ２）。被写体距離Ｄ−ａｆを取得するに際しては、周知のコントラストＡＦ方式によりフォーカスレンズ５のフォーカス制御を行い、そのときの撮像レンズ４のズーム比とフォーカスレンズ５の位置とから、ＭＲＯＭ１７に予め記憶してあるフォーカス設定テーブルを使用して被写体距離Ｄ−ａｆを取得し、あるいは、マニュアルフォーカス、マクロモード等のモードで設定された距離情報を被写体距離Ｄ−ａｆとする。
【００２６】
引き続き、前記プログラム線図１７１に基づき、ステップＳ３〜ステップＳ７の処理を実行する。すなわち、前記ステップＳ１で計算された被写体の明るさに対応する露出値ＥＶに基づき、プログラム線図１７１上で先ず最も低いＩＳＯ感度（ＩＳＯ５０）で設定されるシャッタースピードが、１／６０よりスローか否かを判断する（ステップＳ３）。ここで、シャッタースピード１／６０は、手ぶれの発生を抑制し得る最も遅いシャッタースピードの限界値である。そして、この最も低いＩＳＯ感度で設定されるシャッタースピードが１／６０よりスローでない場合には（ステップＳ３；ＮＯ）、当該撮影設定のシャッタースピード、絞り、感度を確定する（ステップＳ４）。
【００２７】
しかし、シャッタースピードが１／６０よりスローである場合には、撮影設定のＩＳＯ感度が最大値（本実施の形態ではＩＳＯ８００）であるか否かを判断し（ステップＳ５）、最大値でない場合には、ＩＳＯ感度を１段階上げて（ステップＳ６）、前述のステップＳ３の判断を再度行う。この結果、シャッタースピードが１／６０よりスローでなくなった場合には（ステップＳ３；ＮＯ）、当該撮影設定のシャッタースピード、絞り、感度を確定する（ステップＳ４）。しかし、再度シャッタースピードが１／６０よりスローである場合には、ステップＳ５の判断がＮＯであった場合にステップＳ６の処理でＩＳＯ感度を１段上げ、ステップＳ３の判断がＮＯとなった時点で、ステップＳ４で当該撮影設定のシャッタースピード、絞り、感度を確定する。
【００２８】
しかし、ステップＳ５の判断がＹＥＳとなった場合、つまりＩＳＯ感度を最大値（ＩＳＯ８００）としても、シャッタースピードが１／６０よりスローである場合には、ストロボはオート発光としてストロボ発光することを確定するとともに、シャッタースピードは１／６０として、絞り、感度を確定する（ステップＳ７）。このとき、感度に関しては、ＩＳＯ感度５０、１００、２００、４００、８００から適宜選択して確定する。
【００２９】
そして、ステップＳ４又はステップＳ７に続くステップＳ８では、前述の撮影設定で設定された撮影条件がストロボ発光するものであるか否かを判断する（ステップＳ８）。つまり、ステップＳ４からこのステップＳ８に進んできた場合には、ストロボ発光が撮影条件とされていないことから、このステップＳ８の判断はＮＯとなる。よって、この場合には、このシャッター半押し時のフローに従った処理を終了し、シャッターキーが全押しされると前記ステップＳ４で確定された撮影設定のシャッタースピード（ＣＣＤ２の電荷蓄積時間）、絞り、ＩＳＯ感度であって、ストロボ発光を伴うこと無く撮影された画像データをフラッシュメモリ１８に記録する。したがって、この場合にはストロボ発光を伴うことなく撮影がなされることから、ストロボ発光の多用による電池寿命の低下が抑制されることとなる。
【００３０】
他方、ステップＳ７からこのステップＳ８に進んできた場合には、ストロボ発光が撮影条件とされていることから、このステップＳ８の判断はＹＥＳとなる。この場合には、下記式（１）より、ストロボの到達距離Ｄ−ａｅを算出する（ステップＳ９）。
【数１】
2005204120.tif 000003
但し、ＧＮ：当該デジタルカメラ固有の最大光量（ガイドナンバー）
Ｆ：絞り値
ＩＳＯ−ｃａｐｔ：撮影感度（ＩＳＯ感度）
【００３１】
次に、Ｄ−ａｅ＞Ｄ−ａｆの（２）式を満たすか否かを判断する（ステップＳ１０）。この判断の結果、（２）式を満たすのであれば（ステップＳ１０；ＹＥＳ）、当該ＩＳＯ感度（ＩＳＯ−ｃａｐｔ）でのストロボの到達距離Ｄ−ａｅ（ｍ）は被写体距離Ｄ−ａｆ（ｍ）よりも長いのであるから、ＩＳＯ感度（ＩＳＯ−ｃａｐｔ）を下げても、被写体距離Ｄ−ａｆの被写体を明瞭に撮影し得る可能性があることを意味する。したがって、この場合には、設定感度を１段階下げ、（１）式に代入するＩＳＯ−ｃａｐｔを１段下げる（ステップＳ１１）。次に、この１段下げたＩＳＯ−ｃａｐｔを用いて、つまり（１）式に１段階下げたＩＳＯ−ｃａｐｔを代入して、到達距離Ｄ−ａｅを算出する（ステップＳ１２）。
【００３２】
さらに、この１段階下げたＩＳＯ−ｃａｐｔを（１）式に代入して到達距離Ｄ−ａｅを算出しても、この算出した到達距離Ｄ−ａｅと前記被写体距離Ｄ−ａｆとの関係が、未だＤ−ａｅ＞Ｄ−ａｆの（２）式を満たすか否かを判断する（ステップＳ１３）。未だＤ−ａｅ＞Ｄ−ａｆの（２）式を満たすのであれば、（１）式に代入したＩＳＯ−ｃａｐｔが最低感度（本実施の形態ではＩＳＯ５０）に達しているか否かを判断し（ステップＳ１４）、達していない場合には、ステップＳ１１からの処理を繰り返す。
【００３３】
そして、このようにステップＳ１１〜Ｓ１４の処理を繰り返した場合において、当該過度設定でＤ−ａｅ＞Ｄ−ａｆの（２）式を満たさなくなった時点（ステップＳ１３；ＮＯ）、つまり、ＩＳＯ−ｃａｐｔを用いて算出されるストロボの到達距離Ｄ−ａｅが被写体距離Ｄ−ａｆに対し過剰でなくなった時点、換言すればＩＳＯ−ｃａｐｔが過剰でなくなった時点で、このシャッター半押し時のフローに従った処理を終了する。また、ステップＳ１１〜Ｓ１４の処理を繰り返した場合において、（１）式に代入したＩＳＯ−ｃａｐｔが最低感度に達した場合にも（ステップＳ１４；ＹＥＳ）、これ以上ＩＳＯ感度を低下させることはできないことから、このシャッター半押し時のフローに従った処理を終了する。
【００３４】
他方、ステップＳ１０での判断の結果、Ｄ−ａｅ＞Ｄ−ａｆの（２）式を満たさないのであれば（ステップＳ１０；ＮＯ）、当該ＩＳＯ感度（ＩＳＯ−ｃａｐｔ）でのストロボの到達距離Ｄ−ａｅは被写体距離Ｄ−ａｆよりも短いのであるから、ＩＳＯ感度（ＩＳＯ−ｃａｐｔ）を上げて、ストロボの到達距離Ｄ−ａｅを増大させる必要がある。したがって、先ず現時点で（１）式に代入されてストロボの到達距離Ｄ−ａｅの算出に用いられているＩＳＯ−ｃａｐｔが最大感度（本実施の形態ではＩＳＯ８００）に達しているか否かを判断する（ステップＳ１５）。達していない場合には、（１）式に代入するＩＳＯ−ｃａｐｔを１段上げて（ステップＳ１６）、ステップＳ９からの処理を繰り返す。その結果、Ｄ−ａｅ＞Ｄ−ａｆの（２）式を満たすこととなった場合には、ステップＳ１０の判断がＹＥＳとなって、前述したステップＳ１１に進む。
【００３５】
しかし、Ｄ−ａｅ＞Ｄ−ａｆの（２）式を満たすことなく、かつ（１）式に代入されてストロボの到達距離Ｄ−ａｅの算出に用いられているＩＳＯ−ｃａｐｔが最大感度に達した場合（ステップＳ１０；ＮＯかつステップＳ１５；ＹＥＳ）には、ストロボが最大光量（ＧＮ）であってＩＳＯ−ｃａｐｔを最大感度にしても、Ｄ−ａｅ＞Ｄ−ａｆの（２）式を満たすことができないことを意味する。したがって、当該デジタルカメラ１のストロボ光は被写体まで到達できない距離であるため、ＴＦＴ液晶モニタ１４にてワーニング警告を行って、このシャッター半押し時のフローに従った処理を終了する。
【００３６】
以上のようにして、シャッターキーの半押し操作に応じてストロボ発光が撮影条件として確定しＩＳＯ−ｃａｐｔ（ＩＳＯ感度）を決定したならば、この決定したＩＳＯ−ｃａｐｔを前記ユニット回路１２のゲイン調整アンプ（ＡＧＣ）のゲインとして設定した後、シャッターキーの全押し操作に応じてストロボ１５をプリ発光させて、このプリ発光時の撮影によりＭＰＵ３に送られたデジタル信号（撮像信号）の明るさに基づき適切なストロボ発光量を決定する。なお、結果として、決定したＩＳＯ−ｃａｐｔに応じたストロボ発光量を決定することになる。しかる後にこれら決定したＩＳＯ−ｃａｐｔとストロボ発光量を用いて、前記確定したシャッタースピード、絞りで撮影が行われることとなる。また、ストロボ発光を行わない条件である場合（ステップＳ４からステップＳ８に進んだ場合）には、ステップＳ４で確定したシャッタースピード、絞り、感度で撮影が行われることとなる。
【００３７】
無論、前述のようにして適切なＩＳＯ感度は決定済みであり、且つ被写体距離がわかっていることから、プリ発光を行うことなく、予めＭＲＯＭ１７にＩＳＯ感度、被写体距離等とストロボ発光量との対応テーブルを記憶させておき、この対応テーブルからストロボ発光量を読み出して、撮影時におけるストロボ１５の発光量を制御するようにしてもよい。
【００３８】
なお、実施の形態においては、ストロボの最大到達距離と被写体距離とを比較して、ＩＳＯ感度を決定するようにしたが、プリ発光を行って得られた被写体の明るさ（光量）に基づきストロボ発光量とＩＳＯ感度を決定するようにしてもよい。また、ステップＳ１においては、スルー画像に基づき被写体の明るさを計算するようにしたが、光センサを設けておき、光センサが検出した明るさを必要に応じて補正して被写体の明るさを得るようにしてもよい。また、ステップＳ２においては、コントラストＡＦ方式によりフォーカス設定テーブルを使用して被写体距離Ｄ−ａｆを取得するようにしたが、外部位相差センサ等の測距センサを設けておき、測距センサの検出値により被写体距離Ｄ−ａｆを取得するようにしてもよい。さらに、本実施の形態では、本発明を専用機としてのデジタルカメラ１に採用した場合について説明したが、これに限らず本発明は、携帯電話等の携帯情報端末に内蔵されているカメラにも採用することができる。
【図面の簡単な説明】
【００３９】
【図１】本発明の一実施の形態に係るデジタルカメラの電気的構成の概略を示すブロック構成図である。
【図２】プログラム線図を示す図である。
【図３】シャッター半押し時の処理手順を示すフローチャートである。
【符号の説明】
【００４０】
１    デジタルカメラ
２    ＣＣＤ
３    ＭＰＵ
４    撮像レンズ
５    フォーカスレンズ
６    絞り
７    駆動機構
８    ＡＦドライバー
９    駆動部
１０    ＴＧ
１１    Ｖドライバー
１２    ユニット回路
１３    操作キー部
１４    ＴＦＴ液晶モニタ
１５    ストロボ
１６    ＤＲＡＭ
１７    ＭＲＯＭ
１８    フラッシュメモリ
１７１    プログラム線図
【図１】
2005204120.tif 000004
【図２】
2005204120.tif 000005
【図３】
2005204120.tif 000006